(57)【特許請求の範囲】
【請求項１】
近距離の無線通信機能を有する携帯電話機を用いた自動車位置確認システムにおいて、
前記携帯電話機のＩＤ情報又は発呼番号を保持する第１のＩＤ情報又は発呼番号記憶部と、
前記携帯電話機に入力したＩＤ情報又は発呼番号と前記第１のＩＤ情報又は発呼番号記憶部に保持されたＩＤ情報又は発呼番号とを比較し、一致する場合のみ、入力した前記ＩＤ情報又は発呼番号を前記携帯電話機から自動車に近距離の無線通信で送信する自動車位置確認制御部と、
前記自動車位置確認制御部からＩＤ情報又は発呼番号を受信し、受信したＩＤ情報又は発呼番号を確認後、前記自動車のライトを点灯させ、又は、ホーンを鳴動させる自動車位置確認装置とを備える、携帯電話機を用いた自動車位置確認システム。
【請求項２】
前記自動車位置確認装置には、第２のＩＤ情報又は発呼番号記憶部、切換スイッチが設けられ、前記切換スイッチにより前記第２の前記ＩＤ情報又は発呼番号記憶部への書き込みが許可されると、前記自動車位置確認制御部から予め受信したＩＤ情報又は発呼番号が前記第２のＩＤ情報又は発呼番号記憶部に保持され、保持された前記ＩＤ情報又は発呼番号と、受信毎に受信した前記携帯電話機からのＩＤ情報又は発呼番号とが比較され、一致するか否かが確認されることを特徴とする、請求項１に記載の携帯電話機を用いた自動車位置確認システム。
【請求項３】
前記携帯電話機では、前記ＩＤ情報又は発呼番号がキーボードから入力され、前記携帯電話機の表示部に表示され、ボタンの押下により送信されることを特徴とする、請求項１に記載の携帯電話機を用いた自動車位置確認システム。
【請求項４】
前記自動車位置確認装置にはＬＥＤが設けられ、前記ＬＥＤは、前記第２の前記ＩＤ情報又は発呼番号記憶部にＩＤ情報又は発呼番号が正常に保持されたときに点灯することを特徴とする、請求項２に記載の携帯電話機を用いた自動車位置確認システム。
【請求項５】
前記携帯電話機にはライト点灯／ホーン鳴動の選択情報記憶部が設けられ、前記ライト点灯／ホーン鳴動の選択情報記憶部は、前記ライトのみの点灯、前記ホーンのみの鳴動又は前記ライトの点灯と同時に前記ホーンの鳴動のいずれかを選択して前記自動車位置確認装置に送信すべき情報を保持し、前記自動車位置確認装置は、受信した選択情報に基づいて前記ライトを点灯させ、又は、前記ホーンを鳴動させることを特徴とする、請求項１に記載の携帯電話機を用いた自動車位置確認システム。
【請求項６】
前記携帯電話機のボタンの押下に基づいて、前記自動車位置確認装置に前記ライトの点滅、又は、前記ホーンの間欠鳴動をさせることを特徴とする、請求項５に記載の携帯電話機を用いた自動車位置確認システム。
【請求項７】
前記自動車位置確認装置にはライト点灯／ホーン鳴動のパターン記憶部を設け、前記ライト点灯／ホーン鳴動のパターン記憶部は、前記ライトを点灯し、前記ホーンを鳴動するパターンを保持し、前記携帯電話機にはライト点灯／ホーン鳴動の選択記憶部を設け、前記ライト点灯／ホーン鳴動の選択記憶部は前記ライトを点灯し、前記ホーンを鳴動する組み合わせの種類を選択して前記自動車位置確認装置に送信すべき情報を保持し、前記自動車位置確認装置は、受信した選択情報に対応するパターンを前記ライト点灯／ホーン鳴動のパターン記憶部から読み出して前記ライトを点灯させ、又は、前記ホーンを鳴動させることを特徴とする、請求項１に記載の携帯電話機を用いた自動車位置確認システム。
【請求項８】
前記自動車位置確認装置は、さらに、ＬＥＤ、スピーカ、前記ＬＥＤを点灯し、前記スピーカを鳴動する電力を供給する電池、前記電池を充電するための電力を発生するソーラーパネルを備え、前記ＬＥＤを点灯させ、又は、前記スピーカを鳴動させることを特徴とする、請求項１に記載の携帯電話機を用いた自動車位置確認システム。
【請求項９】
前記自動車位置確認装置は、自動車のバックミラーの裏側位置、フロントウインドウ付近のダッシュボード上、リアウインドウ付近のボード上、盗難防止装置の少なくとも１つに設置されることを特徴とする、請求項８に記載の携帯電話機を用いた自動車位置確認システム。
【請求項１０】
前記自動車位置確認装置は、自動車以外のオートバイ、電動付き自転車、自転車、車椅子に設けられることを特徴とする、請求項８に記載の携帯電話機を用いた自動車位置確認システム。
【請求項１１】
近距離の無線通信機能を有する携帯電話機を用いた自動車位置確認装置において、
前記携帯電話機から自動車に送信されたＩＤ情報又は発呼番号を受信し保持するＩＤ情報又は発呼番号記憶部と、
前記携帯電話機から受信したＩＣ情報又は発呼情報を前記ＩＤ情報又は発呼番号記憶部に保持することを予め許可する切り替えスイッチと、
前記ＩＤ情報又は発呼番号記憶部に保持された前記ＩＤ情報又は発呼番号と、前記携帯電話機から受信したＩＤ情報又は発呼番号とを比較し、一致が確認された場合、自動車のライトを点灯させ、又は、ホーンを鳴動させる制御部とを備えることを特徴とする携帯電話機を用いた自動車位置確認装置。
【請求項１２】
近距離の無線通信機能を有する携帯電話機において、
前記携帯電話機のＩＤ情報又は発呼番号を保持するＩＤ情報又は発呼番号記憶部と、
前記携帯電話機に入力したＩＤ情報又は発呼番号と前記ＩＤ情報又は発呼番号記憶部に保持されたＩＤ情報又は発呼番号とを比較し、一致する場合のみ、入力した前記ＩＤ情報又は発呼番号を前記携帯電話機から自動車に近距離の無線通信で送信し、前記自動車に対して受信したＩＤ情報又は発呼番号を確認させ、確認後に前記自動車のライトを点灯させ、又は、ホーンを鳴動させる自動車位置確認制御部とを備えることを特徴とする携帯電話機。
【請求項１３】
近距離の無線通信機能を有する携帯電話機を用いた自動車位置確認方法において、
前記携帯電話機のＩＤ情報又は発呼番号を保持する工程と、
前記携帯電話機に入力したＩＤ情報又は発呼番号と保持されたＩＤ情報又は発呼番号とを比較し、一致する場合のみ、入力した前記ＩＤ情報又は発呼番号を前記携帯電話機から自動車に近距離の無線通信で送信する工程と、
前記携帯電話機からＩＤ情報又は発呼番号を受信し、受信したＩＤ情報又は発呼番号を確認後、前記自動車のライトを点灯させ、又は、ホーンを鳴動させる工程とを備える、携帯電話機を用いた自動車位置確認方法。
【発明の詳細な説明】
【０００１】
【産業上の利用分野】
本発明は携帯電話機に関する。特に、本発明は、自動車等の位置を確認するために携帯電話機を用いた自動車位置確認装置及び方法に関する。
【０００２】
【従来の技術】
今日、自動車の発達により誰もが自動車を所有し、様々な場所への移動手段として使用するようになってきた。
このため、駐車場には多数の自動車が並びその中から駐車した自分の自動車を探すことは大変困難になってきた。
【０００３】
特に、夜間の駐車場で多数の自動車の中から自分の自動車を探すことは大変困難である。
ところで、どの自動車にも運転中に夜間の道路を照らすライト、危険時に警報を鳴動するホーンが装備されている。
自動車のライト、ホーンは、駐車中には、通常、機能していないが、駐車中の自動車を探しているときに、ライトが点いたり、ホーンが鳴動してくれたら、探している自動車の位置が分かるので、自動車を探す困難を緩和できる。
【０００４】
【発明が解決しようとする課題】
したがって、本発明は上記問題点に鑑みて、駐車中の自動車の位置確認を容易にする、携帯電話機を用いた自動車位置確認装置及び方法を提供することを目的とする。
【０００５】
【課題を解決するための手段】
本発明は前記問題点を解決するために、近距離の無線通信機能を有する携帯電話機を用いた自動車位置確認システムにおいて、前記携帯電話機のＩＤ情報又は発呼番号を保持する第１のＩＤ情報又は発呼番号記憶部と、前記携帯電話機に入力したＩＤ情報又は発呼番号と前記第１のＩＤ情報又は発呼番号記憶部に保持されたＩＤ情報又は発呼番号とを比較し、一致する場合のみ、入力した前記ＩＤ情報又は発呼番号を前記携帯電話機から自動車に近距離の無線通信で送信する自動車位置確認制御部と、前記自動車位置確認制御部からＩＤ情報又は発呼番号を受信し、受信したＩＤ情報又は発呼番号を確認後、前記自動車のライトを点灯させ、又は、ホーンを鳴動させる自動車位置確認装置とを備える、携帯電話機を用いた自動車位置確認システムを提供する。
【０００６】
この手段により、既存の携帯電話機を用いて、簡単な構成の自動車位置確認装置が自動車内に設置され、駐車場で多数の自動車の中から自分の自動車を探す際に、容易に自分の自動車の駐車位置を確認することが可能になり、特に、夜間において容易に自動車の駐車位置を確認することが可能になる。
さらに、携帯電話機の発信するＩＤ情報又は発呼番号には、固有の値が含まれているため、この値を使用することにより、個々の携帯電話機を区別することが可能になる。
【０００７】
さらに、前記自動車位置確認装置には、第２のＩＤ情報又は発呼番号記憶部、切換スイッチが設けられ、前記切換スイッチにより前記第２の前記ＩＤ情報又は発呼番号記憶部への書き込みが許可されると、前記自動車位置確認制御部から予め受信したＩＤ情報又は発呼番号が前記第２のＩＤ情報又は発呼番号記憶部に保持され、保持された前記ＩＤ情報又は発呼番号と、受信毎に受信した前記携帯電話機からのＩＤ情報又は発呼番号とが比較され、一致するか否かが確認される。
この手段により、各携帯電話機のＩＤ情報又は発呼番号を自動車位置確認装置に保持させ、他の携帯電話機からの確認を防止することが可能になる。
【０００８】
さらに、前記携帯電話機では、前記ＩＤ情報又は発呼番号がキーボードから入力され、前記携帯電話機の表示部に表示され、ボタンの押下により送信される。
この手段により、送信すべきＩＤ情報又は発呼番号の入力の間違いをなくすためである。
【０００９】
さらに、前記自動車位置確認装置にはＬＥＤが設けられ、前記ＬＥＤは、第２のＩＤ情報又は発呼番号記憶部にＩＤ情報又は発呼番号が正常に保持されたときに点灯する。
【００１０】
この手段により、通信障害による受信異常を回避することが可能になる。
さらに、前記携帯電話機にはライト点灯／ホーン鳴動の選択情報記憶部が設けられ、前記ライト点灯／ホーン鳴動の選択情報記憶部は、前記ライトのみの点灯、前記ホーンのみの鳴動又は前記ライトの点灯と同時に前記ホーンの鳴動のいずれかを選択して前記自動車位置確認装置に送信すべき情報を保持し、前記自動車位置確認装置は、受信した選択情報に基づいて前記ライトを点灯させ、又は、前記ホーンを鳴動させる。
【００１１】
この手段により、駐車場の環境に応じて、例えば、騒音が大きく、暗い場合には自分の自動車のライトのみを点灯したり、明るく騒音が小さい場合にはホーンのみを鳴動したり、騒音が小さく、暗い場合にはライト点灯とホーン鳴動を同時にしたりして、多数の車の中から、自分の自動車の駐車位置を容易に確認することが可能になる。
【００１２】
さらに、前記携帯電話機のボタンの押下に基づいて、前記自動車位置確認装置に前記ライトの点滅、又は、前記ホーンの間欠鳴動をさせる。
この手段により、ライトの点滅、ホーンの間欠鳴動を行えるので、さらに、駐車場の環境に応じて、自分の自動車の位置を容易に確認することが可能になる。
さらに、前記自動車位置確認装置にはライト点灯／ホーン鳴動のパターン記憶部を設け、前記ライト点灯／ホーン鳴動のパターン記憶部は、前記ライトを点灯し、前記ホーンを鳴動するパターンを保持し、前記携帯電話機にはライト点灯／ホーン鳴動の選択記憶部を設け、前記ライト点灯／ホーン鳴動の選択記憶部は前記ライトを点灯し、前記ホーンを鳴動する組み合わせの種類を選択して前記自動車位置確認装置に送信すべき情報を保持し、前記自動車位置確認装置は、受信した選択情報に対応するパターンを前記ライト点灯／ホーン鳴動のパターン記憶部から読み出して前記ライトを点灯させ、又は、前記ホーンを鳴動させる。
【００１３】
この手段により、駐車場の環境に最適なライト点灯／ホーン鳴動を行うことが可能になる。
さらに、前記自動車位置確認装置は、さらに、ＬＥＤ、スピーカ、前記ＬＥＤを点灯し、前記スピーカを鳴動する電力を供給する電池、前記電池を充電するための電力を発生するソーラーパネルを備え、前記ＬＥＤを点灯させ、又は、前記スピーカを鳴動させる。
【００１４】
この手段により、自動車位置確認装置は小型、軽量に実現され、自動車の制御部との配線が不要になり、電力が自給できるので、携帯可能、脱着可能に実現される。
さらに、前記自動車位置確認装置は、自動車のバックミラーの裏側位置、フロントウインドウ付近のダッシュボード上、リアウインドウ付近のボード上、盗難防止装置の少なくとも１つに設置される。
【００１５】
この手段により、自動車内への自動車位置確認装置の設置が容易になる。
さらに、前記自動車位置確認装置は、自動車以外のオートバイ、電動付き自転車、自転車、車椅子に設けられる。
この手段により、自動車位置確認装置の適用範囲が広まる。
さらに、本発明は、近距離の無線通信機能を有する携帯電話機を用いた自動車位置確認装置において、前記携帯電話機から自動車に送信されたＩＤ情報又は発呼番号を受信し保持するＩＤ情報又は発呼番号記憶部と、前記携帯電話機から受信したＩＣ情報又は発呼情報を前記ＩＤ情報又は発呼番号記憶部に保持することを予め許可する切り替えスイッチと、前記ＩＤ情報又は発呼番号記憶部に保持された前記ＩＤ情報又は発呼番号と、前記携帯電話機から受信したＩＤ情報又は発呼番号とを比較し、一致が確認された場合、自動車のライトを点灯させ、又は、ホーンを鳴動させる制御部とを備えることを特徴とする携帯電話機を用いた自動車位置確認装置を提供する。
この手段により、既存の携帯電話機を用いて、簡単な構成の自動車位置確認装置が自動車内に設置され、駐車場で多数の自動車の中から自分の自動車を探す際に、容易に自分の自動車の駐車位置を確認することが可能になり、特に、夜間において容易に自動車の駐車位置を確認することが可能になる。
さらに、各携帯電話機のＩＤ情報又は発呼番号を自動車位置確認装置に保持させ、他の携帯電話機からの確認を防止することが可能になる。
さらに、本発明は、近距離の無線通信機能を有する携帯電話機において、前記携帯電話機のＩＤ情報又は発呼番号を保持するＩＤ情報又は発呼番号記憶部と、前記携帯電話機に入力したＩＤ情報又は発呼番号と前記ＩＤ情報又は発呼番号記憶部に保持されたＩＤ情報又は発呼番号とを比較し、一致する場合のみ、入力した前記ＩＤ情報又は発呼番号を前記携帯電話機から自動車に近距離の無線通信で送信し、前記自動車に対して受信したＩＤ情報又は発呼番号を確認させ、確認後に前記自動車のライトを点灯させ、又は、ホーンを鳴動させる自動車位置確認制御部とを備えることを特徴とする携帯電話機を提供する。
この手段により、既存の携帯電話機を用いて、簡単な構成の自動車位置確認装置が自動車内に設置され、駐車場で多数の自動車の中から自分の自動車を探す際に、容易に自分の自動車の駐車位置を確認することが可能になり、特に、夜間において容易に自動車の駐車位置を確認することが可能になる。
さらに、携帯電話機の発信するＩＤ情報又は発呼番号には、固有の値が含まれているため、この値を使用することにより、個々の携帯電話機を区別することが可能になる。
【００１６】
さらに、近距離の無線通信機能を有する携帯電話機を用いた自動車位置確認方法において、前記携帯電話機のＩＤ情報又は発呼番号を保持する工程と、前記携帯電話機に入力したＩＤ情報又は発呼番号と保持されたＩＤ情報又は発呼番号とを比較し、一致する場合のみ、入力した前記ＩＤ情報又は発呼番号を前記携帯電話機から自動車に近距離の無線通信で送信する工程と、前記携帯電話機からＩＤ情報又は発呼番号を受信し、受信したＩＤ情報又は発呼番号を確認後、前記自動車のライトを点灯させ、又は、ホーンを鳴動させる工程とを備える、携帯電話機を用いた自動車位置確認方法を提供する。
【００１７】
この手段により、上記発明と同様に、既存の携帯電話機を用いて、簡単な構成の自動車位置確認装置が自動車内に設置され、駐車場で多数の自動車の中から自分の自動車を探す際に、容易に自分の自動車の駐車位置を確認することが可能になり、特に、夜間において容易に自動車の駐車位置を確認することが可能になる。
さらに、携帯電話機の発信するＩＤ情報又は発呼番号には、固有の値が含まれているため、この値を使用することにより、個々の携帯電話機を区別することが可能になる。
【００１８】
【発明の実施の形態】
以下、本発明の実施の形態について図面を参照して説明する。
図１は本発明に係る携帯電話機を用いた位置確認装置の概略構成を示すブロック図である。
本図に示すように、携帯電話機を用いた自動車位置確認装置２０は、現在一般的に自動車に設けられる自動車ライト／ホーン駆動装置３０、現在一般的に使用されている携帯電話機４０、携帯電話機４０と近距離通信し自動車ライト／ホーン駆動装置３０に接続され、ライトを点灯させ、又は、ホーンを鳴動させる自動車位置確認装置５０から構成される。
【００１９】
自動車ライト／ホーン駆動装置３０にはライト３１が設けられており、ライト３１は自動車の前照灯であり、通常、自動車の夜間走行中に道路を照らすために使用され、駐車時には、通常、消灯状態にある。
なお、ライト３１に代わり、自動車の車幅を示すスモールランプ、霧の中を走行するときに使用するフォグランプ、尾灯、ブレーキランプ、車内灯、アクセサリランプが使用されてもよい。
【００２０】
さらに、自動車ライト／ホーン駆動装置３０にはホーン３２が設けられており、ホーン３２は、通常、自動車の走行時に鳴動し、警報を発し、駐車時には、通常、鳴動しない。
ライト３１にはライト駆動回路３３が接続され、ライト駆動回路３３はライト３１を駆動して、ライト３１の点灯、消灯を行う。
ホーン３２にはホーン駆動回路３４が接続され、ホーン駆動回路３４はホーン３２を駆動して、ホーン３２の鳴動を行う。
【００２１】
ライト駆動回路３３、ホーン駆動回路３４には自動車制御部３５が接続され、自動車制御部３５は、ライト駆動回路３３、ホーン駆動回路３４を含む自動車一般の制御を行う。
次に、携帯電話機４０には入力部４１が設けられており、入力部４１はキーボード等で構成され、各種情報の入力を行う。
【００２２】
さらに、携帯電話機４０には表示部４２が設けられており、表示部４２は液晶等のようなディスプレイで構成され、各種情報の表示を行う。
さらに、携帯電話機４０には記憶部４３が設けられており、記憶部４３は不揮発性メモリ、揮発性メモリで構成され、各種プログラム、各種情報の保持を行う。
【００２３】
記憶部４３にはＩＤ情報又は発呼番号記憶部４３Ａが設けられ、ＩＤ情報又は発呼番号記憶部４３Ａは携帯電話機４０のＩＤ情報又は発呼番号を保持する。
さらに、携帯電話機４０には自動車位置確認要求ボタン（ＣＡＬＬ）４４が設けられており、自動車位置確認要求ボタン４４は、押下（ＯＮ）されると、自動車位置確認装置５０に自動車位置を確認するためにライト点灯／ホーン鳴動の要求を行う。
【００２４】
さらに、携帯電話機４０には送信部４５、受信部４６が設けられており、送信部４５、受信部４６は基地局（図示しない）との送受信の変復調、音声の符号・復号化を行う。
さらに、送信部４５、受信部４６にはそれぞれ近距離送信部４５Ａ、近距離受信部４５Ｂが設けられ、近距離送信部４５Ａ、近距離受信部４５Ｂは、例えば、近年、利用範囲が拡大しているＢｌｕｅｔｏｏｔｈ、無線ＬＡＮ（Ｌｏｃａｌ  Ａｒｅａ  Ｎｅｔｗｏｒｋ）のモジュールで構成され、約１００メートルの近距離に用いられる無線モジュールであり、電波の利用に許可のいらない周波数帯を使用する。
【００２５】
送信部４５、受信部４６にはアンテナ４８に接続され、アンテナ４８は、通常、基地局と電波の送受信を行うために使用される。
さらに、携帯電話機４０には制御部４７が設けられており、制御部４７はＣＰＵ(中央演算装置)で構成され、入力部４１、表示部４２、記憶部４３、自動車位置確認要求ボタン４４、送信部４５、受信部４６に接続され、携帯電話機４０の全体を制御する。
【００２６】
携帯電話機４０の制御部４７には遠隔制御部４７Ａが設けられ、遠隔制御部４７Ａは、近距離送信部４５Ａ、近距離受信部４５Ｂ、アンテナ４８を経由して、通常、ヘッドセット等との無線通信を制御する。
さらに、遠隔制御部４７Ａには自動車位置確認制御部４７Ｂが設けられ、自動車位置確認制御部４７Ｂは、入力部４１から携帯電話機４０のＩＤ情報又は発呼番号の入力を行い、さらに、自動車位置確認要求ボタン４４からその押下（ＯＮ）によりＩＤ情報又は発呼番号を送信するための自動車位置確認要求の入力を行う。
【００２７】
さらに、自動車位置確認制御部４７Ｂは入力したＩＤ情報又は発呼番号を表示部４２に表示させる。入力を間違いなく行えるようにするためである。
自動車位置確認制御部４７Ｂは、入力部４１から入力したＩＤ情報又は発呼番号をＩＤ情報又は発呼番号記憶部４３Ａに保持したＩＤ情報又は発呼番号と比較し、この比較が一致すると、自動車位置確認要求の入力を待ち、近距離送信部４５Ａに送信させる。誤った入力のＩＤ情報又は発呼番号の送信を防止するためである。
【００２８】
次に、自動車位置確認装置５０にはＩＤ情報又は発呼番号記憶部５１が設けられ、ＩＤ情報又は発呼番号記憶部５１は、揮発性メモリで構成され、携帯電話機４０のＩＤ情報又は発呼番号記憶部４３Ａと同一のＩＤ情報又は発呼番号を予め保持する。
さらに、自動車位置確認装置５０には受信部５２、アンテナ５３が設けられ、受信部５２は、アンテナ５３により携帯電話機４０から受信した電波を復調してＩＤ情報又は発呼番号に戻す。
【００２９】
さらに、自動車位置確認装置５０にはＩＤ情報又は発呼番号の書き込み用の切換スイッチ５５が設けられ、切換スイッチ５５はＩＤ情報又は発呼番号記憶部５１への書き込み動作を許可するために使用される。各携帯電話機のＩＤ情報又は発呼番号を自動車位置確認装置５０に保持させるためである。
さらに、自動車位置確認装置５０にはＬＥＤ（発呼ダイオード）５６が設けられ、ＬＥＤ５６はＩＤ情報又は発呼番号記憶部５１へのＩＤ情報又は発呼番号の書き込みが正常に行われた時に点灯を行うために使用される。通信障害を回避するためである。
【００３０】
自動車位置確認装置５０には制御部５４が設けられ、制御部５４はＣＰＵで構成され、ＩＤ情報又は発呼番号記憶部５１、受信部５２、切換スイッチ５５、ＬＥＤ５６に接続され、自動車位置確認装置５０の全体を制御する。
特に、制御部５４は、ＩＤ情報又は発呼番号記憶部５１への書き込み制御、自動車ライト／ホーン駆動装置３０の自動車制御部３５へのライト点灯／ホーン鳴動の情報を設定する制御を行う。
【００３１】
図２は図１における記憶部４３におけるＩＤ情報又は発呼番号記憶部４３Ａに保持されるＩＤ情報又は発呼番号の例を説明する図である。
本図に示すように、携帯電話機４０のＩＤ情報又は発呼番号が、一例として、１１桁でＩＤ情報又は発呼番号記憶部４３Ａに保持される。
図３は携帯電話機４０から自動車位置確認装置５０のＩＤ情報又は発呼番号記憶部５１に対して書き込みを行う一連動作例を説明するフローチャートである。
【００３２】
本図に示すように、ステップＳ１０１において、自動車位置確認装置５０の制御部５４では、書き込み用の切換スイッチ５５がＯＮにされると、ＩＤ情報又は発呼番号記憶部５１に書き込みを許可してＩＤ情報又は発呼番号の書き込みの準備を行う。
ステップＳ１０２において、携帯電話機４０の制御部４７の遠隔制御部４７Ａでは、自動車位置確認要求ボタン４４からの自動車位置確認要求に対して、携帯電話機４０の表示部４２に「自動車位置確認機能」を表示させる。
【００３３】
ステップＳ１０３において、自動車位置確認制御部４７Ｂでは、入力部４１からのＩＤ情報又は発呼番号の書き込みに対して、「ＩＤ情報又は発呼番号書き込み機能」を表示部４２に表示させる。
ステップＳ１０４において、自動車位置確認制御部４７Ｂでは入力部４１よりＩＤ情報又は発呼番号の入力が行われるのを監視する。
【００３４】
ステップＳ１０５において、自動車位置確認制御部４７Ｂでは入力部４１により入力されたＩＤ情報又は発呼番号を表示部４２に表示させる。
ステップＳ１０６において、自動車位置確認制御部４７Ｂでは、ＩＤ情報又は発呼番号記憶部４３Ａに保持されているＩＤ情報又は発呼番号と入力されたＩＤ情報又は発呼番号とを比較する。
【００３５】
ステップＳ１０７において、自動車位置確認制御部４７Ｂでは、上記比較で一致するかの判断を行い、一致しない場合にはステップＳ１０３に戻り、上記ステップを繰り返す。
ステップＳ１０８において、自動車位置確認制御部４７Ｂでは、上記比較で一致する場合には、自動車位置確認要求ボタン４４を押下して、ＩＤ情報又は発呼番号が、近距離送信部４５Ａ、アンテナ４８を経由して、送信される。
【００３６】
このように、ステップＳ１０２〜ステップＳ１０８において、携帯電話機４０では、ＩＤ情報又は発呼番号をＩＤ情報又は発呼番号記憶部５１に書き込むための発信処理が行われる。
ステップＳ１０９において、自動車位置確認装置５０の制御部５４では、アンテナ５３、受信部５２を経由して、ＩＤ情報又は発呼番号を受信し、ＩＤ情報又は発呼番号記憶部５１に書き込みを行わせる。
【００３７】
ステップＳ１１０において、制御部５４では、ＩＤ情報又は発呼番号記憶部５１の書き込みが正常に行われたか否かを判断し、書き込みが異常である場合にはステップＳ１０３に戻り、上記ステップを繰り返す。
ステップＳ１１１において、制御部５４では、上記書き込みが正常である場合には、ＬＥＤ５５を点灯する。
【００３８】
ステップＳ１１２において、書き込み用の切換スイッチ５５がＯＦＦになると、処理を終了する。
このように、ステップＳ１０９〜ステップＳ１１２において、自動車位置確認装置５０では、受信したＩＤ情報又は発呼番号をＩＤ情報又は発呼番号記憶部５１に書き込む処理が行われる。
【００３９】
さらに、自動車位置確認装置５０には受信部５２、アンテナ５３が設けられ、受信部５２は、アンテナ５３により携帯電話機４０から受信した電波を復調してＩＤ情報又は発呼番号に戻す。
携帯電話機４０の発信するＩＤ情報又は発呼番号には、固有の値が含まれているため、この値を使用することにより、個々の携帯電話機４０を区別することが可能になり、自動車位置確認装置５０に個々の携帯電話機４０のＩＤ情報又は発呼番号を入力することにより、自動車位置確認装置５０の判別を簡素に行うことが可能になる。
【００４０】
図４は図１における携帯電話機を用いた自動車位置確認装置２０の一連の動作を説明するフローチャートである。
本図に示すように、ステップＳ１２１において、携帯電話機４０の制御部４７の遠隔制御部４７Ａでは、入力部４１からの自動車位置確認要求に対して、携帯電話機４０の表示部４２に「自動車位置確認機能」を表示させる。
【００４１】
ステップＳ１２２において、自動車位置確認制御部４７Ｂでは入力部４１よりＩＤ情報又は発呼番号の入力が行われるのを監視する。
ステップＳ１２３において、自動車位置確認制御部４７Ｂでは入力部４１により入力されたＩＤ情報又は発呼番号を表示部４２に表示させる。
ステップＳ１２４において、自動車位置確認制御部４７Ｂでは、ＩＤ情報又は発呼番号記憶部４３Ａに保持されているＩＤ情報又は発呼番号と入力されたＩＤ情報又は発呼番号とを比較する。
【００４２】
ステップＳ１２５において、自動車位置確認制御部４７Ｂでは、上記比較で一致するかの判断を行い、一致しない場合にはステップＳ１２２に戻り、上記ステップを繰り返す。
ステップＳ１２６において、自動車位置確認制御部４７Ｂでは、上記比較で一致する場合には、自動車位置確認要求ボタン４４の押下により、ＩＤ情報又は発呼番号を、近距離送信部４５Ａ、アンテナ４８を経由して、送信させる。
【００４３】
ステップＳ１２７において、自動車位置確認装置５０の制御部５４では、アンテナ５３、受信部５２を経由して、携帯電話機４０からＩＤ情報又は発呼番号を受信させる。
ステップＳ１２８において、制御部５４では、ＩＤ情報又は発呼番号記憶部５１に保持されているＩＤ情報又は発呼番号と受信したＩＤ情報又は発呼番号とを比較する。他の携帯電話機からの確認を防止するためである。
【００４４】
ステップＳ１２９において、制御部５４では、上記比較で一致するかの判断を行い、一致しない場合にはステップＳ１２７に戻り、上記ステップを繰り返す。
ステップＳ１３０において、制御部５４では、上記比較で一致する場合には、自動車位置確認装置５０の制御部５４から自動車ライト／ホーン駆動装置３０の自動車制御部３５にライト駆動回路３３、ホーン駆動回路３４を駆動させる。
【００４５】
ステップＳ１３１において、一定時間、ライト３１を点灯し、ホーン３２を鳴動し、処理を終了する。
したがって、本発明によれば、自動車位置確認装置５０が自動車内に設置され、駐車場で多数の自動車が駐車されている中から自分の自動車を探す際に、普段持ち歩いている携帯電話機４０を用いて、容易に自分の自動車の駐車位置を確認することが可能になる。特に、自動車のライト、車内灯等を点灯させることにより、夜間において容易に自動車の駐車位置を確認することが可能になる。
【００４６】
図５は図１における第１変形例の概略構成を示すブロック図である。本図に示すように、図１と比較して、記憶部４３にはＩＤ情報又は発呼番号記憶部４３Ａの他に、ライト点灯／ホーン鳴動の選択情報記憶部４３Ｂが設けられる。
ライト点灯／ホーン鳴動の選択情報記憶部４３Ｂはライト点灯、又は、ホーン鳴動を選択する情報を保持する。
【００４７】
さらに、遠隔制御部４７Ａの自動車位置確認制御部４７Ｂは、入力部４１から携帯電話機４０のＩＤ情報又は発呼番号の入力以外に、ライト点灯／ホーン鳴動の選択情報の入力を行い、さらに、自動車位置確認要求ボタン４４からその押下（ＯＮ）によりＩＤ情報又は発呼番号、ライト点灯／ホーン鳴動の選択情報を送信するための自動車位置確認要求の入力を行う。
【００４８】
さらに、自動車位置確認制御部４７Ｂは入力したＩＤ情報又は発呼番号の他に、ライトの点灯／ホーン鳴動の選択情報を表示部４２に表示させる。入力を間違いなく行い、選択情報を容易に選択できるようにするためである。
自動車位置確認制御部４７Ｂは、入力部４１から入力したＩＤ情報又は発呼番号をＩＤ情報又は発呼番号記憶部４３Ａに保持したＩＤ情報又は発呼番号と比較し、この比較が一致すると、自動車位置確認要求の入力を待ち、ライトの点灯／ホーン鳴動の選択情報、自動車位置確認要求ボタン４４のＯＮ・ＯＦＦ情報と共に近距離送信部４５Ａに送信させる。
【００４９】
特に、自動車位置確認装置５０の制御部５４は、ＩＤ情報又は発呼番号記憶部５１への書き込み制御の他に、自動車ライト／ホーン駆動装置３０の自動車制御部３５にライト点灯／ホーン鳴動の選択情報、自動車位置確認要求ボタン４４のＯＮ・ＯＦＦ情報を設定する制御を行う。
図６は図５におけるライト点灯／ホーン鳴動の選択情報記憶部４３Ｂに保持されるライト点灯／ホーン鳴動の選択情報の例を説明する図である。
【００５０】
本図に示すように、ライト点灯／ホーン鳴動の例として、ライトのみの点灯、ホーンのみの鳴動、ライト点灯及びホーン鳴動の３つの種類がライト点灯／ホーン鳴動の選択情報記憶部４３Ｂに予め保持され、例えば、デフォルトとして、「レ」点で「ライトのみの点灯」を選択しておき、表示部４２への表示で選択情報の変更が可能になるようにしておく。このようにして、得られた一つの選択情報がライト点灯／ホーン鳴動の選択情報記憶部４３Ｂから、自動車位置確認制御部４７Ｂ、近距離送信部４５Ａ、アンテナ４８を経由して、自動車位置確認装置５０に送信される。
【００５１】
図７、図８は図１における携帯電話機を用いた自動車位置確認装置２０の一連の動作を説明するフローチャートである。
図７に示すように、ステップＳ１４１において、携帯電話機４０の制御部４７の遠隔制御部４７Ａでは、自動車位置確認要求ボタン４４からの自動車位置確認要求に対して、携帯電話機４０の表示部４２に「自動車位置確認機能」を表示させる。
【００５２】
ステップＳ１４２において、自動車位置確認制御部４７Ｂでは入力部４１よりＩＤ情報又は発呼番号の入力が行われるのを監視する。
ステップＳ１４３において、自動車位置確認制御部４７Ｂでは入力部４１により入力されたＩＤ情報又は発呼番号を表示部４２に表示させる。
ステップＳ１４４において、自動車位置確認制御部４７Ｂでは、ＩＤ情報又は発呼番号記憶部４３Ａに保持されているＩＤ情報又は発呼番号と入力されたＩＤ情報又は発呼番号とを比較する。
【００５３】
ステップＳ１４５において、自動車位置確認制御部４７Ｂでは、上記比較で一致するかの判断を行い、一致しない場合にはステップＳ１４２に戻り、上記ステップを繰り返す。
ステップＳ１４６において、自動車位置確認制御部４７Ｂでは、上記比較で一致する場合には、自動車位置確認要求ボタン４４の押下により、ＩＤ情報又は発呼番号、ライト点灯／ホーン鳴動の選択情報記憶部４３Ｂに保持されているライト点灯／ホーン鳴動の選択情報、自動車位置確認要求ボタン４４のＯＮ・ＯＦＦ情報を、近距離送信部４５Ａ、アンテナ４８を経由して、送信させる。
【００５４】
ステップＳ１４７において、自動車位置確認装置５０の制御部５４ではアンテナ５３、受信部５２を経由して携帯電話機４０からＩＤ情報又は発呼番号、ライト点灯／ホーン鳴動の選択情報、自動車位置確認要求ボタン４４のＯＮ・ＯＦＦ情報を受信させる。
ステップＳ１４８において、制御部５４では、ＩＤ情報又は発呼番号記憶部５１に保持されているＩＤ情報又は発呼番号と受信したＩＤ情報又は発呼番号とを比較する。
【００５５】
ステップＳ１４９において、制御部５４では、上記比較で一致するかの判断を行い、一致しない場合にはステップＳ１４７に戻り、上記ステップを繰り返す。
ステップＳ１５０において、制御部５４では、上記比較で一致する場合には、自動車位置確認装置５０の制御部５４から自動車ライト／ホーン駆動装置３０の自動車制御部３５にライト点灯／ホーン鳴動の選択情報、自動車位置確認要求ボタン４４のＯＮ・ＯＦＦ情報を出力する。
【００５６】
図８に示すように、ステップＳ１５１において、自動車ライト／ホーン駆動装置３０の自動車制御部３５では入力したライト点灯／ホーン鳴動の選択情報がライトのみの点灯の選択情報か否かを判断する。
ステップＳ１５２において、自動車制御部３５では、ライトのみの点灯の選択情報の入力である場合には、自動車位置確認要求ボタン４４のＯＮ・ＯＦＦ情報に応じて、ライト駆動回路３３を駆動する。
【００５７】
ステップＳ１５３において、ライト３１は点灯を行い、処理を終了する。
ステップＳ１５４において、自動車制御部３５では、入力したライト点灯／ホーン鳴動の選択情報がライトのみの点灯でない場合には、ホーンのみの鳴動か否かを判断する。
ステップＳ１５５において、自動車制御部３５では、ホーンのみの鳴動の選択情報の入力である場合には、自動車位置確認要求ボタン４４のＯＮ・ＯＦＦ情報に応じて、自動車制御部３５はホーン駆動回路３４を駆動する。
【００５８】
ステップＳ１５６において、ホーン３２は鳴動を行い、処理を終了する。
ステップＳ１５７において、自動車制御部３５では、入力したライト点灯／ホーン鳴動の選択情報がホーンのみの点灯でない場合には、ライト点灯及びホーン鳴動か否かを判断する。ライト点灯及びホーン鳴動でない場合には処理を終了する。
【００５９】
ステップＳ１５８において、自動車制御部３５では、ライト点灯及びホーン鳴動の選択情報の入力である場合には、自動車位置確認要求ボタン４４のＯＮ・ＯＦＦ情報に応じて、ライト駆動回路３３及びホーン駆動回路３４を駆動する。
ステップＳ１３９において、ライト３１は点灯を行い、同時にホーン３２は鳴動を行い、処理を終了する。
【００６０】
図９は自動車位置確認要求ボタン４４のＯＮ・ＯＦＦ情報に応じるライト３１の点灯、ホーン３２の鳴動を説明する図である。
本図（ａ）に示すように、自動車位置確認要求ボタン４４がＯＮ・ＯＦＦを行うと、本図（ｂ）に示すように、図８のステップＳ１５３におけるライト３１の点灯が行われる。
【００６１】
本図（ｃ）に示すように、自動車位置確認要求ボタン４４のＯＮ・ＯＦＦに対して、図８のステップＳ１５６におけるホーン３２の鳴動が行われる。
本図（ｄ）に示すように、自動車位置確認要求ボタン４４のＯＮ・ＯＦＦに対して、図８のステップＳ１５９におけるライト３１の点灯、ホーン３２の鳴動が行われる。
【００６２】
このようにして、携帯電話機の発信により、自分の自動車内の自動車位置確認装置５０がＩＤ情報又は発呼番号を受信し、自動車の自動車制御部３５を介して、駐車場の環境に応じて、例えば、騒音が大きく、暗い場合には自分の自動車のライトのみを点灯したり、明るく騒音が小さい場合にはホーンのみを鳴動したり、騒音が小さく、暗い場合にはライト点灯とホーン鳴動を同時にしたりして、多数の車の中から、自分の自動車の駐車位置を容易に確認することが可能になる。
【００６３】
さらに、ライトの点滅、ホーンの間欠鳴動を自動車位置確認要求ボタン４４のＯＮ・ＯＦＦにより行えるので、さらに、駐車場の環境に応じて、自分の自動車の位置を容易に確認することが可能になる。
図１０は図１における第２変形例の概略構成を示すブロック図である。本図に示すように、図１と比較して、自動車位置確認装置５０にはライト点灯／ホーン鳴動のパターン記憶部５７が設けられ、ライト点灯／ホーン鳴動のパターン記憶部５７は、ライト３１を点灯し、又は、ホーン３２を鳴動するパターンを保持する。
【００６４】
図１１は図１０におけるライト点灯／ホーン鳴動のパターン記憶部５７に保持されるライト点灯／ホーン鳴動のパターン例を示す図である。
ライト点灯／ホーン鳴動のパターン記憶部５７には、一例として、７種類の組み合わせのライト点灯／ホーン鳴動のパターン例が保持される。
すなわち、本図（ａ）に示すようにライト３１のみを一定時間連続点灯するパターン、本図（ｂ）に示すようにホーン３２のみを一定時間連続鳴動するパターン、本図（ｃ）に示すようにライト３１を一定時間連続点灯し同時にホーン３２を一定時間連続鳴動するパターン、本図（ｄ）に示すようにライト３１のみを一定時間点滅するパターン、本図（ｅ）に示すようにホーン３２のみを一定時間間欠鳴動するパターン、本図（ｆ）に示すようにライト３１を一定時間点滅し同時にホーン３２を一定時間間欠鳴動するパターン、本図（ｇ）に示すようにライト３１を一定時間連続点灯し同時にホーン３２を一定時間間欠鳴動するパターン、本図（ｈ）に示すようにライト３１を一定時間点滅し同時にホーン３２を一定時間連続鳴動するパターンがライト点灯／ホーン鳴動のパターン記憶部５７に保持される。
【００６５】
図１２は図１０における携帯電話機４０の記憶部４３におけるライト点灯／ホーン鳴動の選択情報記憶部４３Ｂに保持されるライト点灯／ホーン鳴動の選択情報の例を説明する図である。
本図に示すように、図１０のライト点灯／ホーン鳴動のパターン記憶部５７に保持されるライト点灯／ホーン鳴動のパターン例に対応して、７種類の組み合わせのライト点灯／ホーン鳴動の選択情報がライト点灯／ホーン鳴動の選択情報記憶部４３Ｂに保持される。
【００６６】
すなわち、本図（ａ）に示すようなライト３１のみの一定時間連続点灯、本図（ｂ）に示すようなホーン３２のみの一定時間連続鳴動、本図（ｃ）に示すようなライト３１の一定時間連続点灯と同時のホーン３２の一定時間連続鳴動、本図（ｄ）に示すようなライト３１のみの一定時間点滅、本図（ｅ）に示すようなホーン３２のみの一定時間間欠鳴動、本図（ｆ）に示すようなライト３１の一定時間点滅と同時のホーン３２の一定時間間欠鳴動、本図（ｇ）に示すようなライト３１の一定時間連続点灯と同時のホーン３２の一定時間間欠鳴動、本図（ｈ）に示すようなライト３１の一定時間点滅と同時のホーン３２の一定時間連続鳴動からなるライト点灯／ホーン鳴動の選択情報がライト点灯／ホーン鳴動の選択情報記憶部４３Ｂに予め保持される。
【００６７】
例えば、デフォルトとして、「レ」点で本図（ｃ）に示すような「ライト３１の一定時間連続点灯と同時のホーン３２の一定時間連続鳴動」を選択しておき、表示部４２への表示で選択情報の変更が可能になるようにしておく。このようにして、得られた一の選択情報がライト点灯／ホーン鳴動の選択情報記憶部４３Ｂから自動車位置確認装置５０に送信される。
【００６８】
したがって、本発明によれば、駐車場の環境に最適なライト点灯／ホーン鳴動を行うことが可能になる。
図１３は図１における第３変形例の概略構成を示すブロック図である。本図に示すように、図１と比較して、自動車位置確認装置５０は独自にＬＥＤ５８、スピーカ５９を有し、さらに、電池６１、ソーラーパネル６２、充電部６０を有し、電池６１からＬＥＤ５８、スピーカ５９に電力が供給され、充電部６０によりソーラーパネル６２から電池６１への充電が行われる。
【００６９】
制御部５４は、さらに、ＬＥＤ５８、スピーカ５９、充電部６０に接続され、携帯電話機４０からのＩＤ情報又は発呼番号等を、前述したと同様に、受信して、ＬＥＤ５８の点灯、スピーカ５９の鳴動、充電部６０の充電の制御を行う。
図１４は、図１３の自動車位置確認装置５０の外観を示す斜視図である。本図に示すように、自動車位置確認装置５０の筐体表面には、ＬＥＤ５８、スピーカ５９、ソーラーパネル６２、切換スイッチ５５が設けられる。
【００７０】
このように、自動車位置確認装置５０は小型、軽量に実現され、さらに、図１の構成と比較して、自動車ライト／ホーン駆動装置３０との配線が不要になり、さらに、電力の自給が可能になり、携帯可能、脱着可能に実現される。
脱着可能であるため、自動車内のバックミラーの裏側位置に、自動車位置確認装置５０を設置することが可能になる。
【００７１】
同様に、フロントウインドウ付近のダッシュボード上に、リアウインドウ付近のボード上に、自動車位置確認装置５０を設置することが可能になる。
また、自動車位置確認装置５０は小型であるので、自動車に搭載される盗難防止装置等の他の装置内に組み込むことも可能である。
このように、自動車内への自動車位置確認装置５０の設置が容易になる。
【００７２】
さらに、太陽光が自動車に当たることにより、ソーラーパネル６２を介して電池６１への充電が可能になるので、ＬＥＤ５８の点灯、スピーカ５９への電力の自給が可能になる。また、自動車位置確認装置５０を自動車に使用していない時には、取り外しソーラーパネル６２に太陽光を当てることにより、電池６１への充電が可能になる。
【００７３】
以上の説明では、自動車位置確認装置５０を自動車に搭載したが、オートバイ、電動付き自転車、自転車、車椅子等に搭載しても、駐車時に同様の作用、効果を得ることが可能であり、さらなる適用が可能である。
【００７４】
【発明の効果】
以上説明したように、本発明によれば、携帯電話機からＩＤ情報又は発呼番号を近距離の無線通信で送信し、携帯電話機からＩＤ情報又は発呼番号を受信し、受信したＩＤ情報又は発呼番号を確認後、自動車のライトを点灯させ、又は、ホーンを鳴動させるようにしたので、既存の携帯電話機を用いて、簡単な構成で、駐車場で多数の自動車の中から自分の自動車を探す際に、容易に自分の自動車の駐車位置を確認することが可能になり、特に、夜間において容易に自動車の駐車位置を確認することが可能になる。
【００７５】
さらに、ＬＥＤ、スピーカ、ＬＥＤを点灯し、スピーカを鳴動する電力を供給する電池、電池を充電するための電力を発生するソーラーパネルを備える構成にし、ＬＥＤを点灯させ、又は、スピーカを鳴動させるようにしたので、構成が小型、軽量に実現され、自動車の制御部との配線が不要になり、電力が自給できるので、携帯可能、脱着可能に実現される。
【００７６】
さらに、自動車のバックミラーの裏側位置、フロントウインドウ付近のダッシュボード上、リアウインドウ付近のボード上、盗難防止装置の少なくと１つに設置されるので、自動車内へ設置が容易になる。
【図面の簡単な説明】
【図１】本発明に係る携帯電話機を用いた位置確認装置の概略構成を示すブロック図である。
【図２】図１における記憶部４３におけるＩＤ情報又は発呼番号記憶部４３Ａに保持されるＩＤ情報又は発呼番号の例を説明する図である。
【図３】携帯電話機４０から自動車位置確認装置５０のＩＤ情報又は発呼番号記憶部５１に対して書き込みを行う一連動作例を説明するフローチャートである。
【図４】図１における携帯電話機を用いた自動車位置確認装置２０の一連の動作を説明するフローチャートである。
【図５】図１における第１変形例の概略構成を示すブロック図である。
【図６】図５におけるライト点灯／ホーン鳴動の選択情報記憶部４３Ｂに保持されるライト点灯／ホーン鳴動の選択情報の例を説明する図である。
【図７】図１における携帯電話機を用いた自動車位置確認装置２０の一連の動作を説明するフローチャートである。
【図８】図１における携帯電話機を用いた自動車位置確認装置２０の一連の動作を説明するフローチャートである。
【図９】自動車位置確認要求ボタン４４のＯＮ・ＯＦＦ情報に応じるライト３１の点灯、ホーン３２の鳴動を説明する図である。
【図１０】図１における第２変形例の概略構成を示すブロック図である。
【図１１】図１０におけるライト点灯／ホーン鳴動のパターン記憶部５７に保持されるライト点灯／ホーン鳴動のパターン例を示す図である。
【図１２】図１０における携帯電話機４０の記憶部４３におけるライト点灯／ホーン鳴動の選択情報記憶部４３Ｂに保持されるライト点灯／ホーン鳴動の選択情報の例を説明する図である。
【図１３】図１における第３変形例の概略構成を示すブロック図である。
【図１４】図１３の自動車位置確認装置５０の外観を示す斜視図である。
【符号の説明】
２０…携帯電話機を用いた自動車位置確認装置
３０…自動車ライト／ホーン駆動装置
３１…ライト
３２…ホーン
３３…ライト駆動回路
３４…ホーン駆動回路
３５…自動車制御部
４０…携帯電話機
４１…入力部
４２…表示部
４３…記憶部
４３Ａ…ＩＤ情報又は発呼番号記憶部
４３Ｂ…ライト点灯／ホーン鳴動の選択情報記憶部
４４…自動車位置確認要求ボタン
４５…送信部
４５Ａ…近距離送信部
４６…受信部４６
４６Ａ…近距離受信部４５Ｂ
４７…制御部
４８…アンテナ
４７Ａ…遠隔制御部
４７Ｂ…自動車位置確認制御部
５０…自動車位置確認装置
５１…ＩＤ情報又は発呼番号記憶部
５２…受信部
５３…アンテナ
５４…制御部
５５…切換スイッチ
５６、５８…ＬＥＤ
５７…ライト点灯／ホーン鳴動のパターン記憶部
５９…スピーカ
６０…充電部
６１…電池
６２…ソーラーパネル
【図１】
0003827604.tif 000002
【図２】
0003827604.tif 000003
【図３】
0003827604.tif 000004
【図４】
0003827604.tif 000005
【図５】
0003827604.tif 000006
【図６】
0003827604.tif 000007
【図７】
0003827604.tif 000008
【図８】
0003827604.tif 000009
【図９】
0003827604.tif 000010
【図１０】
0003827604.tif 000011
【図１１】
0003827604.tif 000012
【図１２】
0003827604.tif 000013
【図１３】
0003827604.tif 000014
【図１４】
0003827604.tif 000015